【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
液体を吐出するための主走査方向に移動可能な吐出ヘッドと、
媒体を送り方向へ送るための送り機構と、
前記主走査方向における前記媒体の端の位置を検知するためのセンサと、
を備え、
検知された前記端の位置に応じて、前記主走査方向における前記液体の吐出範囲を制御して、前記媒体に対して縁なし印刷を行う液体吐出装置であって、
前記送り方向における前記媒体の中央領域では、前記検知と、検知された前記端の位置に応じた前記吐出とを繰り返し行い、
前記送り方向における前記媒体の上流側の端から所定範囲内の領域では、前記検知を行わず、前記検知を行っていたときに検知された前記端の位置に応じた前記吐出を行い、縁なし印刷を終了する、
液体吐出装置。
【請求項２】
液体を吐出するための主走査方向に移動可能な吐出ヘッドと、
媒体を送り方向へ送るための送り機構と、
前記主走査方向における前記媒体の端の位置を検知するためのセンサと、
を備え、
検知された前記端の位置に応じて、前記主走査方向における前記液体の吐出範囲を制御して、前記媒体に対して縁なし印刷を行う液体吐出装置であって、
前記送り方向における前記媒体の中央領域では、第１の検知と、前記第１の検知によって検知された前記端の位置に応じた前記吐出とを繰り返し行い、
前記送り方向における前記媒体の上流側の端から所定範囲内の領域では、第２の検知を行うものの、前記第１の検知によって検知された前記端の位置に応じた前記吐出を行い、縁なし印刷を終了する、
液体吐出装置。
【請求項３】
液体を吐出するための主走査方向に移動可能な吐出ヘッドと、
媒体を送り方向へ送るための送り機構と、
前記主走査方向における前記媒体の端の位置を検知するためのセンサと、
を備え、
検知された前記端の位置に応じて、前記主走査方向における前記液体の吐出範囲を制御して、前記媒体に対して縁なし印刷を行う液体吐出装置であって、
前記送り方向における前記媒体の中央領域では、前記検知と、検知された前記端の位置に応じた前記吐出とを繰り返し行い、
前記送り方向における前記媒体の上流側の端から所定範囲内の領域では、前記検知を行わず、予め定められた位置に応じた前記吐出を行い、縁なし印刷を終了する、
液体吐出装置。
【請求項４】
液体を吐出するための主走査方向に移動可能な吐出ヘッドと、
媒体を送り方向へ送るための送り機構と、
前記主走査方向における前記媒体の端の位置を検知するためのセンサと、
を備え、
検知された前記端の位置に応じて、前記主走査方向における前記液体の吐出範囲を制御して、前記媒体に対して縁なし印刷を行う液体吐出装置であって、
前記送り方向における前記媒体の中央領域では、前記検知と、検知された前記端の位置に応じた前記吐出とを繰り返し行い、
前記送り方向における前記媒体の上流側の端から所定範囲内の領域では、前記検知を行うものの、予め定められた位置に応じた前記吐出を行い、縁なし印刷を終了する、
液体吐出装置。
【請求項５】
液体を吐出するための主走査方向に移動可能な吐出ヘッドと、
媒体を送り方向へ送るための送り機構と、
前記主走査方向における前記媒体の端の位置を検知するためのセンサと、
を備え、
検知された前記端の位置に応じて、前記主走査方向における前記液体の吐出範囲を制御して、前記媒体に対して縁なし印刷を行う液体吐出装置であって、
前記送り方向における前記媒体の中央領域では、前記検知と、検知された前記端の位置に応じた前記吐出とを繰り返し行い、
前記送り方向における前記媒体の下流側の端から所定範囲内の領域では、前記検知を行わず、予め定められた位置に応じた前記吐出を行う、
液体吐出装置。
【請求項６】
液体を吐出するための主走査方向に移動可能な吐出ヘッドと、
媒体を送り方向へ送るための送り機構と、
前記主走査方向における前記媒体の端の位置を検知するためのセンサと、
を備え、
検知された前記端の位置に応じて、前記主走査方向における前記液体の吐出範囲を制御して、前記媒体に対して縁なし印刷を行う液体吐出装置であって、
前記送り方向における前記媒体の中央領域では、前記検知と、検知された前記端の位置に応じた前記吐出とを繰り返し行い、
前記送り方向における前記媒体の下流側の端から所定範囲内の領域では、前記検知を行うものの、予め定められた位置に応じた前記吐出を行う、
液体吐出装置。
【請求項７】
前記所定範囲は、前記送り方向における前記媒体の下流側の端を基準とした送り量に基づく、請求項１ないし請求項６のいずれかに記載の液体吐出装置。
【請求項８】
前記所定範囲は、前記送り方向における前記媒体の上流側の端を基準とした送り量に基づく、請求項１ないし請求項６のいずれかに記載の液体吐出装置。
【請求項９】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置を用いた液体吐出方法であって、
前記送り方向における前記媒体の中央領域では、前記検知と、検知された前記端の位置に応じた前記吐出とを繰り返し行い、
前記送り方向における前記媒体の上流側の端から所定範囲内の領域では、前記検知を行わず、前記検知を行っていたときに検知された前記端の位置に応じた前記吐出を行い、縁なし印刷を終了する、
液体吐出方法。
【請求項１０】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置を用いた液体吐出方法であって、
前記送り方向における前記媒体の中央領域では、第１の検知と、前記第１の検知によって検知された前記端の位置に応じた前記吐出とを繰り返し行い、
前記送り方向における前記媒体の上流側の端から所定範囲内の領域では、第２の検知を行うものの、前記第１の検知によって検知された前記端の位置に応じた前記吐出を行い、縁なし印刷を終了する、
液体吐出方法。
【請求項１１】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置を用いた液体吐出方法であって、
前記送り方向における前記媒体の中央領域では、前記検知と、検知された前記端の位置に応じた前記吐出とを繰り返し行い、
前記送り方向における前記媒体の上流側の端から所定範囲内の領域では、前記検知を行わず、予め定められた位置に応じた前記吐出を行い、縁なし印刷を終了する、
液体吐出方法。
【請求項１２】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置を用いた液体吐出方法であって、
前記送り方向における前記媒体の中央領域では、前記検知と、検知された前記端の位置に応じた前記吐出とを繰り返し行い、
前記送り方向における前記媒体の上流側の端から所定範囲内の領域では、前記検知を行うものの、予め定められた位置に応じた前記吐出を行い、縁なし印刷を終了する、
液体吐出方法。
【請求項１３】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置を用いた液体吐出方法であって、
前記送り方向における前記媒体の中央領域では、前記検知と、検知された前記端の位置に応じた前記吐出とを繰り返し行い、
前記送り方向における前記媒体の下流側の端から所定範囲内の領域では、前記検知を行わず、予め定められた位置に応じた前記吐出を行う、
液体吐出方法。
【請求項１４】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置を用いた液体吐出方法であって、
前記送り方向における前記媒体の中央領域では、前記検知と、検知された前記端の位置に応じた前記吐出とを繰り返し行い、
前記送り方向における前記媒体の下流側の端から所定範囲内の領域では、前記検知を行うものの、予め定められた位置に応じた前記吐出を行う、
液体吐出方法。
【請求項１５】
前記所定範囲は、前記送り方向における前記媒体の下流側の端を基準とした送り量に基づく、請求項９ないし請求項１４のいずれかに記載の液体吐出方法。
【請求項１６】
前記所定範囲は、前記送り方向における前記媒体の上流側の端を基準とした送り量に基づく、請求項９ないし請求項１４のいずれかに記載の液体吐出方法。
【請求項１７】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置に用いるためのプログラムであって、
前記液体吐出装置に、
前記送り方向における前記媒体の中央領域では、前記検知と、検知された前記端の位置に応じた前記吐出とを繰り返し行う機能と、
前記送り方向における前記媒体の上流側の端から所定範囲内の領域では、前記検知を行わず、前記検知を行っていたときに検知された前記端の位置に応じた前記吐出を行い、縁なし印刷を終了する機能と、
を実現させるためのプログラム。
【請求項１８】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置に用いるためのプログラムであって、
前記液体吐出装置に、
前記送り方向における前記媒体の中央領域では、第１の検知と、前記第１の検知によって検知された前記端の位置に応じた前記吐出とを繰り返し行う機能と、
前記送り方向における前記媒体の上流側の端から所定範囲内の領域では、第２の検知を行うものの、前記第１の検知によって検知された前記端の位置に応じた前記吐出を行い、縁なし印刷を終了する機能と、
を実現させるためのプログラム。
【請求項１９】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置に用いるためのプログラムであって、
前記液体吐出装置に、
前記送り方向における前記媒体の中央領域では、前記検知と、検知された前記端の位置に応じた前記吐出とを繰り返し行う機能と、
前記送り方向における前記媒体の上流側の端から所定範囲内の領域では、前記検知を行わず、予め定められた位置に応じた前記吐出を行い、縁なし印刷を終了する機能と、
を実現させるためのプログラム。
【請求項２０】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置に用いるためのプログラムであって、
前記液体吐出装置に、
前記送り方向における前記媒体の中央領域では、前記検知と、検知された前記端の位置に応じた前記吐出とを繰り返し行う機能と、
前記送り方向における前記媒体の上流側の端から所定範囲内の領域では、前記検知を行うものの、予め定められた位置に応じた前記吐出を行い、縁なし印刷を終了する機能と、
を実現させるためのプログラム。
【請求項２１】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置に用いるためのプログラムであって、
前記液体吐出装置に、
前記送り方向における前記媒体の中央領域では、前記検知と、検知された前記端の位置に応じた前記吐出とを繰り返し行う機能と、
前記送り方向における前記媒体の下流側の端から所定範囲内の領域では、前記検知を行わず、予め定められた位置に応じた前記吐出を行う機能と、
を実現させるためのプログラム。
【請求項２２】
液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置に用いるためのプログラムであって、
前記液体吐出装置に、
前記送り方向における前記媒体の中央領域では、前記検知と、検知された前記端の位置に応じた前記吐出とを繰り返し行う機能と、
前記送り方向における前記媒体の下流側の端から所定範囲内の領域では、前記検知を行うものの、予め定められた位置に応じた前記吐出を行う機能と、
を実現させるためのプログラム。
【請求項２３】
前記所定範囲は、前記送り方向における前記媒体の下流側の端を基準とした送り量に基づく、請求項１７ないし請求項２２のいずれかに記載のプログラム。
【請求項２４】
前記所定範囲は、前記送り方向における前記媒体の上流側の端を基準とした送り量に基づく、請求項１７ないし請求項２２のいずれかに記載のプログラム。
【手続補正２】
【補正対象書類名】明細書
【補正対象項目名】発明の名称
【補正方法】変更
【補正の内容】
【発明の名称】液体吐出装置、液体吐出方法及びプログラム
【手続補正３】
【補正対象書類名】明細書
【補正対象項目名】００１０
【補正方法】変更
【補正の内容】
【００１０】
主たる発明は、液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置であって、前記送り方向における前記媒体の中央領域では、前記検知と、検知された前記端の位置に応じた前記吐出とを繰り返し行い、前記送り方向における前記媒体の上流側の端から所定範囲内の領域では、前記検知を行わず、前記検知を行っていたときに検知された前記端の位置に応じた前記吐出を行い、縁なし印刷を終了する、液体吐出装置である。
また、他の主たる発明は、液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置であって、前記送り方向における前記媒体の中央領域では、第１の検知と、前記第１の検知によって検知された前記端の位置に応じた前記吐出とを繰り返し行い、前記送り方向における前記媒体の上流側の端から所定範囲内の領域では、第２の検知を行うものの、前記第１の検知によって検知された前記端の位置に応じた前記吐出を行い、縁なし印刷を終了する、液体吐出装置である。
【手続補正４】
【補正対象書類名】明細書
【補正対象項目名】００１１
【補正方法】変更
【補正の内容】
【００１１】
また、他の主たる発明は、液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置であって、前記送り方向における前記媒体の中央領域では、前記検知と、検知された前記端の位置に応じた前記吐出とを繰り返し行い、前記送り方向における前記媒体の上流側の端から所定範囲内の領域では、前記検知を行わず、予め定められた位置に応じた前記吐出を行い、縁なし印刷を終了する、液体吐出装置である。
また、他の主たる発明は、液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置であって、前記送り方向における前記媒体の中央領域では、前記検知と、検知された前記端の位置に応じた前記吐出とを繰り返し行い、前記送り方向における前記媒体の上流側の端から所定範囲内の領域では、前記検知を行うものの、予め定められた位置に応じた前記吐出を行い、縁なし印刷を終了する、液体吐出装置である。
【手続補正５】
【補正対象書類名】明細書
【補正対象項目名】００１２
【補正方法】変更
【補正の内容】
【００１２】
また、他の主たる発明は、液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置であって、前記送り方向における前記媒体の中央領域では、前記検知と、検知された前記端の位置に応じた前記吐出とを繰り返し行い、前記送り方向における前記媒体の下流側の端から所定範囲内の領域では、前記検知を行わず、予め定められた位置に応じた前記吐出を行う、液体吐出装置である。
また、他の主たる発明は、液体を吐出するための主走査方向に移動可能な吐出ヘッドと、媒体を送り方向へ送るための送り機構と、前記主走査方向における前記媒体の端の位置を検知するためのセンサと、を備え、検知された前記端の位置に応じて、前記主走査方向における前記液体の吐出範囲を制御して、前記媒体に対して縁なし印刷を行う液体吐出装置であって、前記送り方向における前記媒体の中央領域では、前記検知と、検知された前記端の位置に応じた前記吐出とを繰り返し行い、前記送り方向における前記媒体の下流側の端から所定範囲内の領域では、前記検知を行うものの、予め定められた位置に応じた前記吐出を行う、液体吐出装置である。